(57)【要約】【課題】帽体に対するシールドの取り付けが簡単なヘルメットの提供。【解決手段】ヘルメット１が帽体２に旋回可能に取り付けられたシールド３１を有する。シールド３１の両側端部の外側には、シールド３１が旋回用軸部２２ａ，２２ｂから脱落することを阻止する抑え部材６が設けられる。抑え部材６は、帽体２の表面に沿って帽体２の幅方向へ延びているものであって、帽体２の両側方部２ａ，２ｂに対して取り外し可能に固定され、かつ、両側方部２ａ，２ｂの間においては、帽体２の表面に沿う上下方向の動きを阻止し得るように帽体２の表面に支持される。【選択図】図３
2011042888.tif 000002
【特許請求の範囲】
【請求項１】
帽体と、前記帽体の上下方向へ旋回可能なシールドとを有し、前記帽体の前部から前記帽体の両側方部に向かって延びた前記シールドの両側端部が前記両側方部に対して取り外し可能に取り付けられているヘルメットであって、
前記帽体は、前記両側方部それぞれから前記帽体の外側に向かって旋回用軸部が突出しているものであって、前記シールドが前記両側端部それぞれに形成された透孔において前記旋回用軸部の外周に嵌合し、
前記シールドの前記両側端部それぞれの外側には、前記旋回用軸部の外周に嵌合するとともに前記シールドの摺動を可能ならしめるように前記シールドの前記両側端部における外面に当接して、前記シールドが前記旋回用軸部から脱落することを阻止する前記シールドに対しての抑え部材が設けられ、
前記抑え部材は、前記帽体の前記両側方部に届くように前記帽体の表面に沿って前記帽体の幅方向へ延びているものであって、前記両側方部それぞれに対して取り外し可能に固定され、かつ、前記両側方部の間においては前記帽体の表面に沿う上下方向の動きを阻止し得るように前記表面に支持されていることを特徴とする前記ヘルメット。
【請求項２】
前記帽体の表面には、前記両側方部の間に前記幅方向に向かって延びる溝が形成され、前記抑え部材には前記溝への嵌合部が形成され、前記溝と前記嵌合部とによって前記抑え部材の前記動きが阻止されている請求項１記載のヘルメット。
【請求項３】
前記抑え部材は、前記両側方部の間において前記帽体の表面から前記帽体の前方に向かって広がっていて前記帽体のつばとなる部分を有し、
前記シールドは、前記上下方向の上方へ旋回すると、前記つばとなる部分とその下方に位置する前記帽体の表面との間に収納される請求項１または２記載のヘルメット。
【請求項４】
前記抑え部材は、前記旋回用軸部から離間した位置において前記帽体の前記両側方部それぞれに固定されている請求項１〜３のいずれかに記載のヘルメット。
【請求項５】
前記帽体の前記両側方部のうちの一方における前記旋回用軸部の周面には、前記シールドを前記帽体に取り付けるときに前記シールドの前記両側端部の一方における前記透孔の周縁部分を一時的に引っ掛けておくことが可能な部位が形成されている請求項１〜４のいずれかに記載のヘルメット。
【請求項６】
前記旋回用軸部は、前記シールドと前記抑え部材とが嵌合した後に、前記抑え部材の外側において前記帽体の前記上下方向へ旋回する外側シールドを取り付け可能に形成され、前記外側シールドの両側端部には前記旋回用軸部の外周面に摺動可能に嵌合する第２透孔が形成されている請求項１〜５のいずれかに記載のヘルメット。
【請求項７】
前記外側シールドは、前記抑え部材が形成する前記つばとなる部分よりも前方において前記上下方向へ旋回するものである請求項６記載のヘルメット。
【請求項８】
前記旋回用軸部は、前記シールドと前記抑え部材とが嵌合する大径部と、前記外側シールドが嵌合する小径部とを有し、前記小径部に嵌合している前記外側シールドの前記両側端部の外側には、前記外側シールドが前記旋回用軸部から脱落することを阻止する第２抑え部材が前記帽体に対して取り外し可能に固定されている請求項６または７記載のヘルメット。
【請求項９】
前記第２抑え部材は、前記旋回用軸部の軸芯部分に対して取り外し可能な状態で固定される第１固定部と、前記第２抑え部材が前記第１固定部を中心に回転することを阻止可能であって前記旋回用軸部から離間した部位において前記帽体に対して固定された状態となる第２固定部とを有している請求項８記載のヘルメット。
【発明の詳細な説明】
【技術分野】
【０００１】
この発明は、ヘルメットに関し、より詳しくはモータサイクル用のものとして使用するのに好適なヘルメットに関する。
【背景技術】
【０００２】
従来、モータサイクル用ヘルメット等のヘルメットであって、ヘルメット着用者の顔面を風雨や塵埃、光線等から保護するためのシールドを有するものは周知である。そのようなシールドとして、両側端部が帽体の両側方部に旋回可能に取り付けられるものも周知である。例えば、実開昭６０−２０５４１号公報（特許文献１）に記載されたフルフェイス型ヘルメットにおける風防板の微小開度調節装置を有するヘルメットでは、シールドである風防板の両側端部が、帽体の両側方部に固定された支承版の筒部に旋回可能に嵌合している。風防板の両側端部それぞれの外側には、保護カバーが設けられている。保護カバーは、保護カバーの外側から風防板の取付孔と支承板の筒部とを貫通して帽体のねじ孔に螺着する第１ねじと、帽体においてそのねじ孔からは離間した位置に形成されているもう一つのねじ孔に螺着する第２ねじとによって帽体に取り付けられている。風防板は、それが筒部を中心にして往復旋回運動するときに、保護カバーの内面に対して摺動運動を繰り返すものであるが、保護カバーは、第１ねじと第２ねじとの２本のねじによって帽体に取り付けられているので、風防板が往復旋回運動をしても２本のねじはゆるむことがなく、したがって保護カバーは帽体から外れるということがない。
【先行技術文献】
【特許文献】
【０００３】
【特許文献１】実開昭６０−２０５４１号公報
【発明の概要】
【発明が解決しようとする課題】
【０００４】
特許文献１に記載のヘルメットでは、風防板を帽体に取り付けるために、風防板の両側端部それぞれに対して使用する一対の保護カバーと、一対の保護カバーそれぞれに対して２本ずつ使用する合計４本のねじとが必要になる。風防板を帽体に取り付けるときには、帽体の両側方部それぞれにおいて、風防板の側端部の外側に保護カバーを当てがい、２本のねじによってその保護カバーを帽体に対して固定するという作業を行うのであるが、このような作業には思いのほかに手間がかかる。
【０００５】
この発明は、帽体に対するシールドの取付けが簡単で手間のかかることがないように改良されたヘルメットの提供を課題にしている。
【課題を解決するための手段】
【０００６】
前記課題を解決するために、この発明が対象とするのは、帽体と、前記帽体の上下方向へ旋回可能なシールドとを有し、前記帽体の前部から前記帽体の両側方部に向かって延びた前記シールドの両側端部が前記両側方部に対して取り外し可能に取り付けられているヘルメットである。
【０００７】
かかるヘルメットにおいて、この発明が特徴とするところは、以下のとおりである。すなわち、前記帽体は、前記両側方部それぞれから前記帽体の外側に向かって旋回用軸部が突出しているものであって、前記シールドが前記両側端部それぞれに形成された透孔において前記旋回用軸部の外周に嵌合している。前記シールドの前記両側端部それぞれの外側には、前記旋回用軸部の外周に嵌合するとともに前記シールドの摺動を可能ならしめるように前記シールドの前記両側端部における外面に当接して、前記シールドが前記旋回用軸部から脱落することを阻止する前記シールドに対しての抑え部材が設けられている。前記抑え部材は、前記両側方部に届くように前記帽体の表面に沿って前記帽体の幅方向へ延びているものであって、前記両側方部それぞれに対して取り外し可能に固定され、かつ、前記両側方部の間においては前記帽体の表面に沿う上下方向の動きを阻止し得るように前記表面に支持されている。
【０００８】
この発明の実施形態の一つにおいて、前記帽体の表面には、前記両側方部の間に前記幅方向に向かって延びる溝が形成され、前記抑え部材には前記溝への嵌合部が形成され、前記溝と前記嵌合部とによって前記抑え部材の前記動きが阻止されている。
【０００９】
この発明の実施形態の他の一つにおいて、前記抑え部材は、前記両側方部の間において前記帽体の表面から前記帽体の前方に向かって広がっていて前記帽体のつばとなる部分を有し、前記シールドは前記上下方向の上方へ旋回すると、前記つばとなる部分とその下方に位置する前記帽体の表面との間に収納される。
【００１０】
この発明の実施形態の他の一つにおいて、前記抑え部材は、前記旋回用軸部から離間した位置において前記帽体の前記両側方部それぞれに固定されている。
【００１１】
この発明の実施形態の他の一つにおいて、前記帽体の前記両側方部のうちの一方における前記旋回用軸部の周面には、前記シールドを前記帽体に取り付けるときに前記シールドの前記両側端部のうちの一方における前記透孔の周縁部分を一時的に引っ掛けておくことが可能な部位が形成されている。
【００１２】
この発明の実施形態の他の一つにおいて、前記旋回用軸部は、前記シールドと前記抑え部材とが嵌合した後に、前記抑え部材の外側において前記帽体の前記上下方向へ旋回する外側シールドを取り付け可能に形成され、前記外側シールドの両側端部には前記旋回用軸部の外周面に摺動可能に嵌合する第２透孔が形成されている。
【００１３】
この発明の実施形態の他の一つにおいて、前記外側シールドは、前記抑え部材が形成する前記つばとなる部分よりも前方において前記上下方向へ旋回するものである。
【００１４】
この発明の実施形態の他の一つにおいて、前記旋回用軸部は、前記シールドと前記抑え部材とが嵌合する大径部と、前記外側シールドが嵌合する小径部とを有し、前記小径部に嵌合している前記外側シールドの前記両側端部の外側には、前記外側シールドが前記旋回用軸部から脱落することを阻止する第２抑え部材が前記帽体に対して取り外し可能に固定されている。
【００１５】
この発明の実施形態のさらに他の一つにおいて、前記第２抑え部材は、前記旋回用軸部の軸芯部分に対して取り外し可能な状態で固定される第１固定部と、前記第２抑え部材が前記第１固定部を中心に回転することを阻止可能であって前記旋回用軸部から離間した部位において前記帽体に対して固定された状態となる第２固定部とを有している。
【発明の効果】
【００１６】
この発明に係るヘルメットによれば、帽体の両側方部に形成された軸部に取り外し可能に取り付けられて上下方向へ旋回するシールドの両側端部それぞれが抑え部材によって軸部からの脱落を阻止されている。その抑え部材は、帽体の両側方部に届くように帽体の表面に沿って帽体の幅方向へ延びていて、両側方部それぞれに対して固定され、かつ、両側部の間においては帽体の表面に沿う上下方向の動きを阻止し得るようにその表面に支持されているものであるから、帽体に対するシールドの取り付け作業が簡単になる。
【図面の簡単な説明】
【００１７】
【図１】ヘルメットの左側面図。
【図２】ヘルメットの右側面図。
【図３】外側シールドを外したヘルメットの斜視図。
【図４】帽体の左側方部を示す図。
【図５】帽体の右側方部を示す図。
【図６】内側シールドの斜視図。
【図７】つばの斜視図。
【図８】帽体の部分側面図。
【図９】帽体の部分側面図。
【図１０】図９のＸ−Ｘ線切断面を示す図。
【図１１】外側シールドの斜視図。
【図１２】カバー部材の斜視図。
【発明を実施するための形態】
【００１８】
この発明に係るヘルメットとしてモータサイクル用ヘルメットを例にとり、添付の図面を参照してその詳細を説明すると、以下のとおりである。
【００１９】
図１，２は、ヘルメット１の外観を示す左側面図と右側面図である。なお、この発明でいう左と右とは、ヘルメット１の着用者（図示せず）にとっての左と右とを意味している。ヘルメット１は、着用者の頭部を保護する帽体２と、帽体２の前側にあって着用者の顔面（図示せず）を保護する透明なシールド３とを有し、帽体２の内側から垂下しているチンストラップ４を使用して着用する。帽体２はまた、つば６が取り付けられており、つば６の上方には帽体２の内部への空気の取り入れを可能にするベンチレータ７が設けられている。シールド３は、着用者の顔面に接近して設けられた第１のシールドとなる内側シールド３１と、内側シールド３１の外側に設けられて第２のシールドとなる外側シールド３２とを含んでいて、図では外側シールド３２から透視される内側シールド３１とつば６の一部分とが鎖線で示されている。これら内側シールド３１と外側シールド３２とは、それぞれの側端部３３ａ，３３ｂ，４４ａ，４４ｂ（図６，１１参照）が帽体２の左側方部２ａと右側方部２ｂとのそれぞれに左カバー部材１１ａと右カバー部材１１ｂとを介して取り付けられている。内側シールド３１は、後記の図３で説明されるように、左カバー部材１１ａから延出するレバー１３を矢印Ａで示す方向へ旋回させることによって旋回しながら上昇し、つば６の下側に納まる。上昇した内側シールド３１は、レバー１３を矢印Ａとは反対の方向へ旋回させると、図１の位置にまで旋回しながら下降する。かような内側シールド３１は、好ましくは適宜の色に着色してサングラスとして使用する。外側シールド３２は上下方向の寸法が内側シールド３１のそれよりも大きく、周縁の適宜の部位、例えば下縁３３を押し上げるようにすると旋回して仮想線で示す位置にまで上昇する。上昇した外側シールド３２は、適宜の部位に指先を当てて押し下げるようにすると、旋回して図１の位置に戻る。図示例のヘルメット１は、かようにして、内側シールド３１と外側シールド３２とを個々別々に旋回させることができる。
【００２０】
図３は、図１，２に示されたヘルメット１の帽体２からカバー部材１１ａ，１１ｂと外側シールド３２とを外してあるヘルメット１の部分破断斜視図である。なお、このヘルメット１では帽体２の内部を形成する内装部材およびチンストラップ４の図示が省略されている。かような図３の帽体２は、つば６によって覆われている前頭部２ｃと、前頭部２ｃよりも上方に位置する頂部２ｄとを有し、前頭部２ｃは頂部２ｄとの間に段差２ｅが生じるように頂部２ｄよりも低く形成されている（図４，５参照）。段差２ｅは帽体２の左側方部２ａから右側方部２ｂにまで延びていて、前頭部２ｃには、その段差２ｅに並行して延びる第１隆起部２３と第２隆起部２４とが形成されている。第１隆起部２３は段差部２ｅから僅かに離間して、例えば２〜３ｍｍ離間しているもので、第１隆起部２３と段差部２ｅとの間には溝部２６が形成されている。頂部２ｄの正面中央では、ベンチレータ７における開閉可能なシャッタプレート７ａが開放状態にあって、空気取り入れ孔７ｂが見えている。
【００２１】
つば６は左右対称に形成されているもので、左側端部６ａと、右側端部６ｂと、これら両側端部６ａ，６ｂの間に位置する中間部６ｃとを有する。図３においては、左側端部６ａが帽体２の左側方部２ａに形成されている旋回用左軸部２２ａに抜脱可能に嵌合し、その左側端部６ａがまたねじ２３ａによって帽体２に対して取り外し可能に固定されている。つば６はまた、左右両側端部６ａ，６ｂの間に延びる下縁部６ｄと上縁部６ｅとを有する。下縁部６ｄの外面側には、下降させたときの外側シールド３２と下縁部６ｄとの間の隙間を埋めることが可能である柔軟な帯状パッド５(図７参照)が取り付けられている。上縁部６ｅには、帽体２における前頭部２ｃの溝部２６に嵌合するリブ６ｇが形成されている。リブ６ｇが溝部２６に嵌合しているつば６は、双頭矢印Ｂで示す帽体２の表面に沿う上下方向の動きが阻止されているので、ヘルメット１におけるつば６の位置が安定している。
【００２２】
図３における内側シールド３１は、つば６の下方にあり、つば６の左側端部６ａよりもさらに後方へ延びたレバー１３を矢印Ａで示す方向へ旋回させると、つば６と、つば６の下方にある帽体２の前頭部２ｃとの間へ進入するように、矢印Ａで示す方向へ上昇する。なお、図の帽体２においては、内側シールド３１から透視できる部位が鎖線で示されている。
【００２３】
図４，５は、図３のヘルメット１の両側方部２ａ，２ｂからねじ２３ａ，２３ｂ（図７参照）を外し、さらにつば６と内側シールド３１とを外して得られる帽体２の斜視図であって、図４は帽体２における左側方部２ａを示し、図５は帽体２における右側方部２ｂを示している。なお、これらの図においても帽体２の内部を形成する内装部材等の図示が省略されている。帽体２の前頭部２ｃにおいて第１隆起部２３は、左右に二分されるように形成されている。第２隆起部２４は、帽体２の幅方向の中央から左右へ延びているもので、ヘルメット１の着用中に頂部２ｄに落ちた雨滴（図示せず）が前方に向かって流れたときに、その流れの向きを変えて雨滴が着用者の顔の前に落ちることを防いでいる。
【００２４】
帽体２の左側方部２ａと右側方部２ｂとには、帽体２の表面から外側に向かって突出するように旋回用左軸部２２ａと旋回用右軸部２２ｂとが形成されている。これら軸部２２ａ，２２ｂは、帽体２とは別体の左プレート状パーツ６１ａと右プレート状パーツ６１ｂ（図８，９参照）に形成されているものであるが、プレート状パーツ６１ａ，６１ｂのそれぞれをねじや接着剤等の適宜の取り付け手段（図示せず）によって帽体２の左側方部２ａと右側方部２ｂとのそれぞれに分離不能に取り付けることによって、帽体２の一部分となっている。かような旋回用左軸部２２ａと旋回用右軸部２２ｂとのそれぞれは、互いに同心の関係にある大径部６３ａと小径部６４ａ、大径部６３ｂと小径部６４ｂとのそれぞれを有し、大径部６３ａ，６３ｂには、その径方向の外側に同心の関係にある第１ストッパ部６６ａ，６６ｂが形成され、小径部６４ａ，６４ｂには、その径方向の外側に同心の関係にある第２ストッパ部６７ａ，６７ｂが形成されている。小径部６４ａ，６４ｂの中心には、ファスナ用透孔６８ａ，６８ｂが形成されている。プレート状パーツ６１ａ，６１ｂにはまた、ねじ穴６９ａ，６９ｂと、カバー部材１１ａ，１１ｂに使用するための穴７１ａ，７１ｂが形成されている。後記の図８，９において明らかなように、大径部６３ａ，６３ｂは内側シールド３１とつば６とを帽体２に取り付けるために使用され、小径部６４ａ，６４ｂは外側シールド３２を帽体２に取り付けるために使用される。ねじ穴６９ａ，６９ｂは、ねじ２３ａ，２３ｂに対して使用されるものであり、ファスナ用透孔６８ａ，６８ｂと穴７１ａ，７１ｂとは、カバー部材１１ａ，１１ｂを帽体２に取り付けるために使用される。
【００２５】
図６は、内側シールド３１の斜視図である。内側シールド３１は、中央透視部７７と左側端部３３ａと右側端部３３ｂとを有する。左側端部３３ａには、旋回用左軸部２２ａにおける大径部６３ａの周面に対して周方向へ摺動可能に嵌合する円弧状の第１の左透孔部８１ａと、第１ストッパ部６６ａの周面に対して周方向へ摺動可能に嵌合する円弧状の第１の左拡径部８２ａとが形成され、左拡径部８２ａの外側ではレバー１３が後方へ延びている。左側端部６ａにはまた、プレート状パーツ６１ａと向かい合う内面に小突起８０が形成されている。右側端部３３ｂには、旋回用右軸部２２ｂにおける大径部６３ｂの周面に対して周方向へ摺動可能に嵌合する円弧状の第１の右透孔部８１ｂと、第１ストッパ部６６ｂのクリアランス１０５(図１０参照)に対しての進入・退出可能な円弧状の第１の右拡径部８２ｂとが形成されている。サングラスとして使用するときの内側シールド３１は、少なくとも中央透視部７７を適宜の色によって透視可能に着色する。内側シールド３１は、それを上下方向へ旋回させるときに、レバー１３の他に、中央透視部７７の下方部分に形成されている摘み８５を使用することもできる。なお、図においては、内側シールド３１から透視できる部位が鎖線で示されている。
【００２６】
図７は、つば６の斜視図であって、つば６を固定するために使用するねじ２３ａ，２３ｂも併せて示されている。つば６の左側端部６ａには、帽体２における旋回用左軸部２２ａにおける大径部６３ａの周面に嵌合する円弧状の左透孔部８６ａと、第１ストッパ部６６ａの周面に対して嵌合する円弧状の左拡径部８７ａと、左小孔８８ａとが形成されている。左小孔８８ａには、ねじ２３ａ（図３参照）が挿入される。左透孔部８６ａと左拡径部８７ａとの周縁には、一連のリブ８９ａが形成されている。つば６の右側端部６ｂには、大径部６３ｂの周面に嵌合する円弧状の右透孔部８６ｂと、第１ストッパ部６６ｂの周面に対して嵌合する円弧状の右拡径部８７ｂと、右小孔８８ｂとが形成されている。右小孔８８ｂには、ねじ２３ａと同じ形状のねじ２３ｂが挿入される。右透孔部８６ｂと右拡径部８７ｂとの周縁には一連のリブ８９ｂが形成されている。つば６の上縁部６ｅには、リブ６ｇ（図３参照）が形成されている。
【００２７】
図８は、図４の帽体２におけるプレート状パーツ６１ａとその近傍とを示す帽体２の部分側面図であって、図３の状態にある内側シールド３１の左側端部３３ａが仮想線で示されている。旋回用左軸部２２ａにおける第１ストッパ部６６ａでは、軸部２２ａの周方向における端面９１ａまたは９２ａに対して、旋回する内側シールド３１の左拡径部８２ａにおける端部９３ａまたは９４ａ（図６参照）が当接することによって、内側シールド３１の矢印Ａ方向とその反対方向への旋回を強制的に止めることができる。ただし、旋回する内側シールド３１では、その内面側に形成されている小突起８０が、プレート状パーツ６１ａに形成された溝部９６ａに沿って嵌合凹部９７ａと９８ａとの間を動き、凹部９７ａまたは９８ａに嵌合すると、内側シールド３１の旋回が一時的に停止し、内側シールド３１が凹部９７ａまたは９８ａを越えてさらに旋回しようとすると第１ストッパ部６６ａが作用する。
【００２８】
図９は、図５の帽体２におけるプレート状パーツ６１ｂとその近傍とを示す帽体２の部分側面図であって、図３の状態にある内側シールド３１の右側端部３３ｂが仮想線で示されている。旋回用右軸部２２ｂにおける第１ストッパ部６６ｂでは、軸部２２ｂの周方向における小さな端面９１ｂまたは９２ｂに対して、旋回する内側シールド３１の右拡径部８２ｂにおける端部９３ｂまたは９４ｂ（図６参照）が当接することによって、内側シールド３１の旋回を強制的に止めることができる。帽体２の幅方向において、第１ストッパ部６６ａと６６ｂとの端面９１ａ，９２ａのそれぞれと９１ｂ，９２ｂのそれぞれとは対称な位置にあり、内側シールド３１においては、端部９３ａ，９４ａのそれぞれと端部９３ｂ，９４ｂのそれぞれとが対称の位置にあって、第１ストッパ部６６ａと６６ｂとの内側シールド３１に対する作用のタイミングが同調している。
【００２９】
図８，９において、旋回用左軸部２２ａにおける大径部６３ａの周壁１０１ａは、第１ストッパ部６６ａの縁部全体にわたって延びており、その周壁１０１ａには第１ストッパ部６６ａの周壁の一部分である端部９１ａ，９２ａも含まれている。一方、旋回用右軸部２２ｂでは、大径部６３ｂにおける周壁１０１ｂが第１ストッパ部６６ｂにまで延びてはいるが、図示の端部９１ｂ，９２ｂを形成したところで終わっている。このような旋回用右軸部２２ｂを有するプレート状パーツ６１ｂでは、第１ストッパ部６６ｂの頂部１０２ｂとプレート状パーツ６１ｂの平坦な基底部１０３ｂとの間にクリアランス１０５（図１０参照）が形成されている。
【００３０】
図１０は、図９におけるＸ−Ｘ線切断面を示す図である。旋回用右軸部２２ｂにおける第１ストッパ部６６ｂの頂部１０２ｂとプレート状パーツ６１ｂの平坦な基底部１０３ｂとの間に形成されたクリアランス１０５には、内側シールド３１における右側端部３３ｂの一部分が仮想線で示されている。
【００３１】
図８，９，１０において、内側シールド３１とつば６とは、次のようにして旋回用左軸部２２ａと旋回用右軸部２２ｂとに取り付けられる。最初に、図９，１０に示されているように、内側シールド３１の右側端部３３ｂにおける拡径部８２ｂの周縁部分１０６ｂを第１ストッパ部６６ｂの頂部１０２ｂとプレート状パーツ６１ｂの基底部１０３ｂとの間のクリアランス１０５に納める。次いで、内側シールド３１を弾性変形させながらその左側端部３３ａにおける左透孔部８１ａと左拡径部８２ａとを大径部６３ａと第１ストッパ部６６ａとに嵌合させて、図８の仮想線の状態にする。すると、内側シールド３１は、右側端部３３ｂにおける右透孔部８１ｂが大径部６３ｂに自動的に嵌合して図９の仮想線の状態になる。内側シールド３１における周縁部分１０６ｂは、その一部が依然としてクリアランス１０５に進入した状態にあって、図１０でみると第１ストッパ部６６ｂの頂部１０２ｂの下側に位置している。頂部１０２ｂと周縁部１０６ｂとがこのような状態にあると、頂部１０２ｂは内側シールド３１の右側端部３３ｂが旋回用右軸部２２ｂから簡単に抜け出るということを防ぐことができるので、内側シールド３１の帽体２への取り付け作業と、その作業に続くつば６の取り付け作業とが容易になる。なお、内側シールド３１を帽体２から外すには、内側シールド３１の左側端部３３ａを持って内側シールド３１を弾性的に変形させながら旋回用左軸部２２ａから外し、次いで周縁部１０６ｂがクリアランス１０５の外へ出るようにしながら右側端部３３ｂを旋回用右軸部２２ｂから外せばよい。
【００３２】
つば６を取り付けるには、内側シールド３１が図８，９の状態にあるときに、つば６のリブ６ｇを帽体２の溝２６に納めながら左側端部６ａの透孔部８６ａと左拡径部８７ａとを旋回用左軸部２２ａの大径部６３ａと第１ストッパ部６６ａとに嵌合させ、次いで右側端部６ｂの右透孔部８６ｂと右拡径部８７ｂとを旋回用右軸部２２ｂの大径部６３ｂと第１ストッパ部６６ｂとに嵌合させる。さらに続けて、左小孔８８ａと右小孔８８ｂとのそれぞれにねじ２３ａ，２３ｂを通してねじ穴６９ａ，６９ｂに螺合させ、つば６を帽体２に固定して図３のヘルメット１を得る。そのヘルメット１において、つば６は左側端部６ａと右側端部６ｂとによって内側シールド３１の左側端部３３ａと右側端部３３ｂとをそれらの外側から抑え、内側シールド３１が旋回用左軸部２２ａと旋回用右軸部２２ｂとから脱落することなく旋回することを可能にする。このように作用する図示例のつば６は、帽体２に取り付けられているときの形状からはつばと呼ぶべきものであるが、内側シールド３１に対する作用に着目すれば、帽体２に内側シールド３１を取り付けるために使用する抑え部材と呼ぶべきものである。その抑え部材は、内側シールド３１の左側端部３３ａと右側端部３３ｂとの取り付けを一つの部材で済ませることができるというものであって、ヘルメット１では、側端部３３ａと側端部３３ｂとに対して別体の２個の抑え部材を使用するという必要がない。このような抑え部材としての作用に注目したときのつば６は、帽体２の表面から前方に向かって突出するように広がるいわゆるつばとしての形状を不可欠とするものではないから、図７における形状を適宜の形状に設計変更することができる。このような抑え部材でもあるつば６はまた、２本のねじ２３ａ，２３ｂとリブ６ｇとによって帽体２に取り付けることのできるものであるから、帽体２に対する取り付けに手間取ることがない。さらにはまた、帽体２においてねじ２３ａ，２３ｂを使用する位置は、内側シールド３１にとっての旋回中心となる旋回用左軸部２２ａおよび旋回用右軸部２２ｂから離間しているから、内側シールド３１の旋回を繰り返しても、ねじ２３ａ，２３ｂにはそれをゆるめるような力が作用しにくく、内側シールド３１の動きは終始安定したものになる。
【００３３】
図１１は、この発明においての第２のシールドである外側シールド３２の斜視図である。外側シールド３２は左右対称に形成されているもので、中央透視部１０７と、左側端部４４ａと、右側端部４４ｂとを有する。左側端部４４ａには、第２の左透孔部１０９ａと、それにつながる第２の左拡径部１１１ａと、内面側小突起１１２ａとが形成され、右側端部４４ｂには、第２の右透孔部１０９ｂと、それにつながる第２の右拡径部１１１と、内面側小突起１１２ｂとが形成されている。かような外側シールド３２は、図３のヘルメット１に対して取り付けられるもので、左透孔部１０９ａと左拡径部１１１ａとは、抑え部材であるつば６の外側において旋回用左軸部２２ａの小径部６４ａと第２ストッパ部６７ａとの周面に周方向へ摺動可能に嵌合する。そのときに、内面側小突起１１２ａは、旋回用左軸部２２ａにおける第１ストッパ６６ａの頂部１０２ａに形成されている案内溝１１３ａ（図８参照）に納まる。案内溝１１３ａには、外側シールド３２の旋回を一時的に停止させることが可能な半球状の凹部１１４ａが形成されている。その凹部１１４ａは、案内溝１１３ａよりもやや深く形成されている。外側シールド３２の右透孔部１０９ｂと右拡径部１１１ｂとは、つば６の外側において旋回用右軸部２２ｂの小径部６４ｂと第２ストッパ部６７ｂとの周面に周方向へ摺動可能に嵌合する。そのときに内面小突起１１２ｂは、旋回用右軸部２２ｂにおける第１ストッパ６６ｂの頂部１０２ｂに形成されている案内溝１１３ｂ（図９参照）に納まる。案内溝１１３ｂには、外側シールド３２の旋回を一時的に停止させることが可能な半球状の凹部１１４ｂが形成されている。図においては、外側シールド３２から透視される部位が鎖線で示されている。
【００３４】
図１２は、左カバー部材１１ａと右カバー部材１１ｂとを対にして示すこれら部材１１ａ，１１ｂの斜視図である。それぞれのカバー部材１１ａ，１１ｂにはカバー部１２１ａ，１２１ｂと、カバー部１２１ａ，１２１ｂそれぞれの内面から突出するファスナ用ピン１２２ａ，１２２ｂと、ファスナ用ピン１２２ａ，１２２ｂそれぞれと平行に延びる回転止め用ピン１２３ａ，１２３ｂと、それぞれの内面において円弧を画くように延びる複数のリブ１２４ａ，１２４ｂとが含まれている。左カバー部材１１ａと右カバー部材１１ｂとは、左カバー部材１１ａの周縁の一部に切り欠き部１２５が形成されていることを除くと、帽体２の幅方向において対称、換言すると左右対称に作られている。その切り欠き部１２５は、図３において内側シールド３１のレバー１３を延出させるために使用される。
【００３５】
両カバー部材１１ａ，１１ｂのうちの左カバー部材１１ａを例にとり、これを図３のヘルメット１に取り付けるときの手順を示すと、以下のとおりである。ヘルメット１では、外側シールド３２の左側端部４４ａを旋回用左軸部２２ａにおける小径部６４ａと第２ストッパ部６７ａとに嵌合させる。次に、外側シールド３２の外側から左カバー部材１１ａにおけるファスナ用ピン１２２ａに形成された抜け止め部１２６ａを小径部６４ａに形成されているほぼ矩形のファスナ用透孔６８ａに挿入する。回転止め用ピン１２３ａは帽体２における穴７１ａに納まるべきものであるが、抜け止め部１２６ａをファスナ用透孔６８ａに位置合わせしてその透孔６８ａに挿入する時点においては、回転止め用ピン１２３ａが穴７１ａから外れたところにある。次に、そのピン１２３ａが穴７１ａに納まるところまで、抜け止め部１２６ａの挿入が終わった左カバー部材１１ａをファスナ用ピン１２２ａを中心にして矢印Ａ（図３参照）で示す方向とは反対の方向へ回転させる。回転止め用ピン１２３ａを穴７１ａに納めるときと、穴７１ａから抜くときとには、左カバー部材１１ａを弾性的に適宜変形させる。プレート状パーツ６１ａにおいて、小径部６４ａの内側は空洞になっており（図８，９参照）、左カバー部材１１ａを矢印Ａとは反対の方向へ回転させるときには、ファスナ用ピン１２２ａにおける抜け止め部１２６ａも回転して小径部６４ａにおける頂部１２７ａ（図３，８参照）の内側に移動してファスナ用ピン１２２ａが透孔６８ａから抜けなくなる。回転止め用ピン１２３ａが穴７１ａに納まった左カバー部材１１ａでは、リブ１２４ａが外側シールド３２の左透孔部１０９ａと左拡径部１１１ａとの周縁部において外側シールド３２を押圧し、外側シールド３２の内面をつば６の左側端部６ａに形成されている環状のリブ８９ａに接触させる。このような状態にある外側シールド３２を旋回させると、左側端部６ａの内面に形成されている突起１１２ａが旋回用左軸部２２ａにおける案内溝１１３ａを走行し、その過程において凹部１１４ａに納まると、その旋回が一時的に停止する。ただし、案内溝１１３ａの両端部それぞれに形成された凹部１１４ａを越えて外側シールド３２がさらに旋回しようとするときには、外側シールド３２における左拡径部１１１ａの縁部が旋回用左軸部２２ａの周方向から第２ストッパ部６７ａに衝接して、その旋回が止まる。
【００３６】
右カバー部材１１ｂを使用して外側シールド３２の右側端部６ｂを帽体２に取り付ける作業手順は、右カバー部材１１ｂと外側シールドの右側端部６ｂとが、左カバー部材１１ａと外側シールド３２の左側端部６ａとに対して実質的には対称に形成されているということを考慮に入れて、左カバー部材１１ａ等に関する作業手順と同様にすればよい。
【００３７】
内側シールド３１と外側シールド３２とを含むヘルメット１においての各部材は、周知のモータサイクル用ヘルメットに使用されている慣用の素材によって作ることができる。例えば、内側シールド３１と外側シールド３２とは、ポリカーボネート樹脂等の透明性に優れた樹脂によって作ることができる。つば６や左右のカバー部材１１ａ，１１ｂ、プレート状パーツ６１ａ，６１ｂ等は、ポリカーボネート樹脂やＡＢＳ樹脂等のような弾性変形をさせるのに好適な合成樹脂で作ることができる。
【００３８】
図示例のヘルメット１において、サングラスとして使用する内側シールド３１は上下方向の寸法を比較的小さく作ることによってヘルメット１の重量軽減を図り、外側シールド３２は上下方向の寸法を比較的大きく作ることによって顔面の全体を風雨から保護することができるようにしてあるが、これらの寸法を適宜の大きさに変更してこの発明を実施することも可能である。
【００３９】
左右のカバー部材１１ａ，１１ｂは、外側シールド３２を旋回可能な状態でヘルメット１に取り付けるための手段であって、例えば左カバー部材１１ａは、ファスナ用ピン１２２ａと回転止め用ピン１２３ａとを有することによって、外側シールド３２の旋回を繰り返しても帽体２から外れることのないものであるが、その左カバー部材１１ａに代わる公知の機構と部材とを使用して外側シールド３２をこの発明における帽体２に取り付けることも可能である。
【符号の説明】
【００４０】
１    ヘルメット
２    帽体
２ａ，２ｂ    側方部
３    シールド
６    抑え部材（つば）
６ｇ    嵌合部（リブ）
１１ａ，１１ｂ    第２抑え部材（カバー部材）
２２ａ    旋回用軸部(旋回用左軸部)
２２ｂ    旋回用軸部(旋回用右軸部)
２６    溝
３１    シールド（内側シールド）
３２    外側シールド
３３ａ，３３ｂ    側端部
４４ａ，４４ｂ    側端部
６３ａ，６３ｂ    大径部
６４ａ，６４ｂ    小径部
８１ａ，８１ｂ    透孔
１０５    部位（クリアランス）
１０９ａ，１０９ｂ    第２透孔
１２２ａ，１２２ｂ    第１固定部
１２３ａ，１２３ｂ    第２固定部
【図１】
2011042888.tif 000003
【図２】
2011042888.tif 000004
【図３】
2011042888.tif 000005
【図４】
2011042888.tif 000006
【図５】
2011042888.tif 000007
【図６】
2011042888.tif 000008
【図７】
2011042888.tif 000009
【図８】
2011042888.tif 000010
【図９】
2011042888.tif 000011
【図１０】
2011042888.tif 000012
【図１１】
2011042888.tif 000013
【図１２】
2011042888.tif 000014
【手続補正書】
【提出日】平成21年11月10日(2009.11.10)
【手続補正１】
【補正対象書類名】明細書
【補正対象項目名】００３３
【補正方法】変更
【補正の内容】
【００３３】
図１１は、この発明においての第２のシールドである外側シールド３２の斜視図である。外側シールド３２は左右対称に形成されているもので、中央透視部１０７と、左側端部４４ａと、右側端部４４ｂとを有する。左側端部４４ａには、第２の左透孔部１０９ａと、それにつながる第２の左拡径部１１１ａと、内面側小突起１１２ａとが形成され、右側端部４４ｂには、第２の右透孔部１０９ｂと、それにつながる第２の右拡径部１１１ｂと、内面側小突起１１２ｂとが形成されている。かような外側シールド３２は、図３のヘルメット１に対して取り付けられるもので、左透孔部１０９ａと左拡径部１１１ａとは、抑え部材であるつば６の外側において旋回用左軸部２２ａの小径部６４ａと第２ストッパ部６７ａとの周面に周方向へ摺動可能に嵌合する。そのときに、内面側小突起１１２ａは、旋回用左軸部２２ａにおける第１ストッパ６６ａの頂部１０２ａに形成されている案内溝１１３ａ（図８参照）に納まる。案内溝１１３ａには、外側シールド３２の旋回を一時的に停止させることが可能な半球状の凹部１１４ａが形成されている。その凹部１１４ａは、案内溝１１３ａよりもやや深く形成されている。外側シールド３２の右透孔部１０９ｂと右拡径部１１１ｂとは、つば６の外側において旋回用右軸部２２ｂの小径部６４ｂと第２ストッパ部６７ｂとの周面に周方向へ摺動可能に嵌合する。そのときに内面小突起１１２ｂは、旋回用右軸部２２ｂにおける第１ストッパ６６ｂの頂部１０２ｂに形成されている案内溝１１３ｂ（図９参照）に納まる。案内溝１１３ｂには、外側シールド３２の旋回を一時的に停止させることが可能な半球状の凹部１１４ｂが形成されている。図においては、外側シールド３２から透視される部位が鎖線で示されている。
【手続補正２】
【補正対象書類名】明細書
【補正対象項目名】００３５
【補正方法】変更
【補正の内容】
【００３５】
両カバー部材１１ａ，１１ｂのうちの左カバー部材１１ａを例にとり、これを図３のヘルメット１に取り付けるときの手順を示すと、以下のとおりである。ヘルメット１では、外側シールド３２の左側端部４４ａを旋回用左軸部２２ａにおける小径部６４ａと第２ストッパ部６７ａとに嵌合させる。次に、外側シールド３２の外側から左カバー部材１１ａにおけるファスナ用ピン１２２ａに形成された抜け止め部１２６ａを小径部６４ａに形成されているほぼ矩形のファスナ用透孔６８ａに挿入する。回転止め用ピン１２３ａは帽体２における穴７１ａに納まるべきものであるが、抜け止め部１２６ａをファスナ用透孔６８ａに位置合わせしてその透孔６８ａに挿入する時点においては、回転止め用ピン１２３ａが穴７１ａから外れたところにある。次に、そのピン１２３ａが穴７１ａに納まるところまで、抜け止め部１２６ａの挿入が終わった左カバー部材１１ａをファスナ用ピン１２２ａを中心にして矢印Ａ（図３参照）で示す方向とは反対の方向へ回転させる。回転止め用ピン１２３ａを穴７１ａに納めるときと、穴７１ａから抜くときとには、左カバー部材１１ａを弾性的に適宜変形させる。プレート状パーツ６１ａにおいて、小径部６４ａの内側は空洞になっており（図８，９参照）、左カバー部材１１ａを矢印Ａとは反対の方向へ回転させるときには、ファスナ用ピン１２２ａにおける抜け止め部１２６ａも回転して小径部６４ａにおける頂部１２７ａ（図３，８参照）の内側に移動してファスナ用ピン１２２ａが透孔６８ａから抜けなくなる。回転止め用ピン１２３ａが穴７１ａに納まった左カバー部材１１ａでは、リブ１２４ａが外側シールド３２の左透孔部１０９ａと左拡径部１１１ａとの周縁部において外側シールド３２を押圧し、外側シールド３２の内面をつば６の左側端部４４ａに形成されている環状のリブ８９ａに接触させる。このような状態にある外側シールド３２を旋回させると、左側端部４４ａの内面に形成されている突起１１２ａが旋回用左軸部２２ａにおける案内溝１１３ａを走行し、その過程において凹部１１４ａに納まると、その旋回が一時的に停止する。ただし、案内溝１１３ａの両端部それぞれに形成された凹部１１４ａを越えて外側シールド３２がさらに旋回しようとするときには、外側シールド３２における左拡径部１１１ａの縁部が旋回用左軸部２２ａの周方向から第２ストッパ部６７ａに衝接して、その旋回が止まる。
【手続補正３】
【補正対象書類名】明細書
【補正対象項目名】００３６
【補正方法】変更
【補正の内容】
【００３６】
右カバー部材１１ｂを使用して外側シールド３２の右側端部４４ｂを帽体２に取り付ける作業手順は、右カバー部材１１ｂと外側シールドの右側端部４４ｂとが、左カバー部材１１ａと外側シールド３２の左側端部４４ａとに対して実質的には対称に形成されているということを考慮に入れて、左カバー部材１１ａ等に関する作業手順と同様にすればよい。